(57)【特許請求の範囲】
【請求項１】
家庭用薄葉紙が積層された薄葉紙積層体を内側の収納空間部に収納する容器本体を備える家庭用薄葉紙収納容器であって、
前記容器本体の上面部には、前記収納空間部から家庭用薄葉紙を取り出す取出口が備えられ、
前記容器本体の底部には、前記収納空間部に薄葉紙積層体を詰めるための開口部が形成されるとともに、当該底部の縁部から突出し、前記収納空間部に収納された薄葉紙積層体を下側から支持する支持部材が備えられ、
前記容器本体の周面部には、当該容器本体の高さを可変とする折り畳み機構が備えられ、
前記折り畳み機構は、
前記周面部の全周に亘って連続的に形成され、上方に向かって内側に傾斜する傾斜部と、前記傾斜部の上縁及び下縁に形成された薄肉部と、を備え、
前記上面部側からの押圧により前記傾斜部が前記収納空間部に倒れこんで前記容器本体の高さが変わることを特徴とする家庭用薄葉紙収納容器。
【請求項２】
前記支持部材は、バネ板であることを特徴とする請求項１に記載の家庭用薄葉紙収納容器。
【請求項３】
前記容器本体の前記周面部は、可撓性を有する材料により形成されることを特徴とする請求項１又は２に記載の家庭用薄葉紙収納容器。
【発明の詳細な説明】
【技術分野】
【０００１】
本発明は、家庭用薄葉紙を収納する家庭用薄葉紙収納容器に関する。
【背景技術】
【０００２】
従来、鼻炎を患った際などに使用されるティシューなどの家庭用薄葉紙が積層された薄葉紙積層体を内部に収納する家庭用薄葉紙収納容器が知られている。
家庭用薄葉紙収納容器においては、内部に収納した薄葉紙積層体が使い終わると、新たな薄葉紙積層体を詰めて継続して使用可能なものが知られている。
一般に、このような家庭用薄葉紙収納容器は、上面に家庭用薄葉紙の取出口を備え、家庭用薄葉紙は、使用される際に取出口から一枚ずつ引き出されるようになっている。
そして、取出口からの取出し易さを向上させるべく、例えば、特許文献１には、ケース本体を伸縮性蛇腹により構成し、内容物（積層された家庭用薄葉紙）が減ってきたら伸縮性蛇腹を縮めることで、内容物が常に取出口に近い位置にくるようにした構成のケースが提案されている。また、特許文献２には、下面開放のケースの側壁部の下部に、ヒンジを介して支持片を設置し、その支持片をケースの内側に向けて水平より上側に曲げた状態としてケース内に収納する箱状物（市販の箱入りの家庭用薄葉紙）の側面を保持することで、箱状物の高さに因らず、当該箱状物を常にケースの上部寄りの位置に保持し、取出し易い仕様としたケースが提案されている。
【先行技術文献】
【特許文献】
【０００３】
【特許文献１】特開２０００−１６８８６０号公報
【特許文献２】特開２００７−２８９５９７号公報
【発明の概要】
【発明が解決しようとする課題】
【０００４】
しかしながら、特許文献１に記載のケースは、使用に際して、蓋を開けて内容物を入れ、蓋を閉めるといった一連の動作が必要であり、内容物を詰める作業が煩雑であった。
また、特許文献２に記載のケースは、当該ケースの上部寄りの位置に箱状物を保持するだけなので、その箱状物内の家庭用薄葉紙の残量が少なくなった場合、取出口と次の家庭用薄葉紙との間の距離が長くなり、家庭用薄葉紙を取出口から取り出した際に、次の家庭用薄葉紙の先端部が取出口から箱状物の内部に落ち込む等による取出し不具合が発生する場合があった。
【０００５】
本発明の課題は、取り出しの不具合が起こらず、内容物を詰める作業が簡易な家庭用薄葉紙収納容器を提供することである。
【課題を解決するための手段】
【０００６】
上記課題を解決するため、請求項１に記載の発明は、
家庭用薄葉紙が積層された薄葉紙積層体を内側の収納空間部に収納する容器本体を備える家庭用薄葉紙収納容器であって、
前記容器本体の上面部には、前記収納空間部から家庭用薄葉紙を取り出す取出口が備えられ、
前記容器本体の底部には、前記収納空間部に薄葉紙積層体を詰めるための開口部が形成されるとともに、当該底部の縁部から突出し、前記収納空間部に収納された薄葉紙積層体を下側から支持する支持部材が備えられ、
前記容器本体の周面部には、当該容器本体の高さを可変とする折り畳み機構が備えられ、
前記折り畳み機構は、
前記周面部の全周に亘って連続的に形成され、上方に向かって内側に傾斜する傾斜部と、前記傾斜部の上縁及び下縁に形成された薄肉部と、を備え、
前記上面部側からの押圧により前記傾斜部が前記収納空間部に倒れこんで前記容器本体の高さが変わることを特徴とする。
【０００７】
また、請求項２に記載の発明は、請求項１に記載の家庭用薄葉紙収納容器において、
前記支持部材は、バネ板であることを特徴とする。
【０００８】
また、請求項３に記載の発明は、請求項１又は２に記載の家庭用薄葉紙収納容器において、
前記容器本体の前記周面部は、可撓性を有する材料により形成されることを特徴とする。
【発明の効果】
【０００９】
本発明によれば、容器本体の底部には、収納空間部に薄葉紙積層体を詰めるための開口部が形成されるとともに、当該底部の縁部から突出し、収納空間部に収納された薄葉紙積層体を下側から支持する支持部材が備えられている。
このため、収納空間部に薄葉紙積層体を入れるために容器本体の一部を開閉する必要がなく、薄葉紙積層体を詰める作業を簡易にすることができる。
また、容器本体の周面部には、当該容器本体の高さを可変とする折り畳み機構が備えられている。
このため、家庭用薄葉紙の残量に応じて収納空間部の容積を変えることができるので、家庭用薄葉紙の残量に因らず取出口と家庭用薄葉紙とを近い位置に維持することができ、取り出しの不具合が生じるのを防止することができる。
【図面の簡単な説明】
【００１０】
【図１】本発明の家庭用薄葉紙収納容器を示す斜視図である。
【図２】図１の家庭用薄葉紙収納容器のＩＩ−ＩＩ線における断面図である。
【図３】図２の家庭用薄葉紙収納容器の折り畳んだ状態を示す断面図である。
【図４】図１の家庭用薄葉紙収納容器の底面図である。
【発明を実施するための形態】
【００１１】
以下、本発明の実施形態について図面を参照して説明する。ただし、発明の範囲は、図示例に限定されない。
【００１２】
本実施形態の家庭用薄葉紙収納容器１００は、図１〜図４に示すように、平面視では大小２つの楕円が重なった形状をなし、側面視（正面視）では左辺及び右辺が斜辺を挟んで二段階に径（幅）が変化する形状に形成されている。
この家庭用薄葉紙収納容器１００は、例えば、ティシューやウェットティシュー等の家庭用薄葉紙Ｐが積層された薄葉紙積層体２００を内側の収納空間部４０に収納する容器本体１を備えている。
【００１３】
ここで、薄葉紙積層体２００は、例えば、複数枚の家庭用薄葉紙Ｐが積層された詰替え用の薄葉紙積層体であって、容器本体１に形成された取出口１２から家庭用薄葉紙Ｐを継続して取り出せるように交互に折り重ねられた状態で積層されている。即ち、家庭用薄葉紙Ｐを取出口１２から容器本体１の外側へ引き出したときに、次の家庭用薄葉紙Ｐの上端が取出口１２よりも突出する位置まで収納空間部４０から引き出されるようになっている。
なお、薄葉紙積層体２００を、包装体により内包することとしても良い。特に、家庭用薄葉紙Ｐがウェットティシューである場合には、薄葉紙積層体２００を防湿性の包装体により内包することが好ましい。
【００１４】
容器本体１は、可撓性を有する材料により形成され、例えば、ＰＰ（ポリプロピレン）等の可撓性を有する熱可塑性樹脂を射出成形することにより製造される。
容器本体１は、当該容器本体１の上面を構成する上面部１０と、当該容器本体１の周面を構成し、上下二段階に径が変わるように形成された周面部２０と、を備え、上面部１０及び周面部２０にて囲まれた空間が、薄葉紙積層体２００を収納する収納空間部４０となっている。
また、容器本体１の底部３０には、薄葉紙積層体２００を収納空間部４０に詰めるための挿入口となる底面開口部（開口部）３１が形成されており、底部３０の縁部から内側に向かって突出するように、均等な間隔をあけて配置された４つの板バネ３２ａ〜３２ｄが備えられている。
【００１５】
容器本体１の上面部１０は、楕円形の平面状に形成された平面部１１と、平面部１１の略中央に形成された取出口１２と、を備えている。
取出口１２は、容器本体１の内部の収納空間部４０に収納された家庭用薄葉紙Ｐを取り出すためのものであって、家庭用薄葉紙Ｐは、取出口１２を通じて、収納空間部４０から引き出され、外部に取り出すことができるようになっている。
取出口１２は、例えば、直径数ミリ〜数センチの細孔により形成される。なお、取出口１２の大きさや形状に特に限定はなく、これ以外にも、例えば、直線状又は曲線状のスリット等で形成することもできる。
また、図示は省略するが、取出口１２に、当該取出口１２を覆う蓋体を備えることとしても良い。
【００１６】
容器本体１の周面部２０は、当該周面部２０の上部を形成する小径部２１と、当該周面部２０の下部を形成し、小径部２１より径の大きな大径部２２と、小径部２１及び大径部２２とを連結し、上方に向かって内側に傾斜する傾斜部２３と、を備えている。
また、傾斜部２３の上縁及び下縁（即ち、傾斜部２３と小径部２１との境界部、及び傾斜部２３と大径部２２との境界部）には、他の領域に比べ厚みの薄い薄肉部２４、２５が形成されている。
薄肉部２４、２５は、傾斜部２３の上縁及び下縁を、容器本体１の内側からえぐるようにして形成されたものである。
小径部２１、大径部２２、及び傾斜部２３は、容器本体１の周面の全周に亘って連続的に形成されており、よって、薄肉部２４、２５も、容器本体１の周面の全周に亘って連続的に形成されている。
【００１７】
このような容器本体１の周面部２０は、上面部１０側から押圧が掛かった場合に折り畳まれるようになっている。具体的には、上面部１０側から底部３０の方向に押圧が掛かると、傾斜部２３の上縁及び下縁の薄肉部２４、２５が折れ曲がって傾斜部２３が容器本体１の内部の収納空間部４０に倒れ込む。このため、容器本体１は、大径部２２の内側に小径部２１が嵌るように折り畳まれて、容器本体１の高さが低くなる。
また、折り畳まれた周面部２０は、上面部１０を上側から引っ張る又は上面部１０を下側から押し上げることで、元の状態に戻すことができるようになっている。
従って、家庭用薄葉紙Ｐの残量が少なくなった場合、使用者は上記のように容器本体１の周面部２０を折り畳むことができる。そして、容器本体１の周面部２０を折り畳むと、家庭用薄葉紙Ｐの残量が少ない場合にも、容器本体１の内部において取出口１２と家庭用薄葉紙Ｐとの距離を近くすることができるため、家庭用薄葉紙Ｐを取出口１２から取出し易い状態に維持することができる。
また、収納空間部４０内の家庭用薄葉紙Ｐを使い終わって新たな薄葉紙積層体２００を詰める場合には、使用者は折り畳まれた容器本体１の周面部２０を元の状態に戻すことができる。
このように、傾斜部２３と、薄肉部２４、２５と、は、容器本体１の周面部２０において、当該容器本体１の高さを可変とする折り畳み機構として機能している。
【００１８】
容器本体１の底部３０は、上述したが、薄葉紙積層体２００を収納空間部４０に詰めるための挿入口となる底面開口部３１を備えている。
底面開口部３１には、４つの板バネ３２ａ〜３２ｄの取り付けられた環状部材３２が嵌め込まれている。
具体的に、環状部材３２は、例えば、金属或いは各種樹脂等の硬質な材料により形成され、平面視にて容器本体１の底面開口部３１の内周と合致する略楕円形の環状をなしている。
環状部材３２には、底面開口部３１の内壁に当接させる起立壁３２ｅが立設されており、起立壁３２ｅを底面開口部３１に嵌合することで、環状部材３２は底面開口部３１に取り付けられる。
この環状部材３２には、環状部材３２の中心に向かって突出するように、角部が面取りされた略正方形の４つの板バネ３２ａ〜３２ｄが備えられている。
４つの板バネ３２ａ〜３２ｄは、環状部材３２の楕円の円周上を均等な間隔をあけるよう配置され、例えば、環状部材３２の楕円の長軸及び短軸と交差する位置に設けられている。
【００１９】
この４つの板バネ３２ａ〜３２ｄは、容器本体１の収納空間部４０に収納された薄葉紙積層体２００が、容器本体１の下方へ離脱（落下）するのを防止するためのものである。
具体的に、薄葉紙積層体２００を容器本体１の下方から収納空間部４０に詰めた場合、板バネ３２ａ〜３２ｄの上面が、容器本体１の収納空間部４０に収納された薄葉紙積層体２００の下面に当接して薄葉紙積層体２００の重みに抗して上向きに付勢するため、薄葉紙積層体２００を好適に支持し、薄葉紙積層体２００は収納空間部４０に収納された状態を維持できる。
また、薄葉紙積層体２００を収納空間部４０に入れた当初、板バネ３２ａ〜３２ｄが薄葉紙積層体２００の重みにより下向きに撓んでいた場合、家庭用薄葉紙Ｐの使用に応じて薄葉紙積層体２００が軽くなるにつれて、板バネ３２ａ〜３２ｄは薄葉紙積層体２００を徐々に上方へ押し上げることとなる。
このように、板バネ３２ａ〜３２ｄは、底部３０の縁部から突出し、収納空間部４０に収納された薄葉紙積層体２００を下側から支持する支持部材として機能している。
なお、環状部材３２なしで、板バネ３２ａ〜３２ｄを直接容器本体１の縁部に取り付けても良い。
【００２０】
次に、本実施形態の家庭用薄葉紙収納容器１００の作用について説明する。
使用者は、使用に際して、薄葉紙積層体２００を、家庭用薄葉紙収納容器１００の底部３０の底面開口部３１から収納空間部４０に詰める。
すると、板バネ３２ａ〜３２ｄは、その上面が薄葉紙積層体２００の下面と当接し、上方からの薄葉紙積層体２００の重みに抗して上向きに付勢し、薄葉紙積層体２００を支持した状態となる。なお、このとき、薄葉紙積層体２００の重みによっては、板バネ３２ａ〜３２ｄは下向きに撓むこともある。
この状態において、家庭用薄葉紙Ｐは、使用者により取出口１２から一枚ずつ引き出されて使用される。
従って、本実施形態の家庭用薄葉紙収納容器１００では、容器本体１の一部を開閉する等の動作は必要なく、薄葉紙積層体２００を簡単に詰めることができる。
【００２１】
そして、使用するにつれて薄葉紙積層体２００が軽くなっていくと、薄葉紙積層体２００を収納空間部４０に入れた当初板バネ３２ａ〜３２ｄが下向きに撓んでいた場合には、薄葉紙積層体２００の軽量化に応じて、板バネ３２ａ〜３２ｄが徐々に初期位置へ戻るため、薄葉紙積層体２００が上に押し上げられることとなる。
また、更に家庭用薄葉紙Ｐの残量が、所定量以上少なくなった場合には、使用者が、容器本体１の上面部１０を下方に押し込むと、容器本体１の傾斜部２３が収納空間部４０に対して倒れ込んで、周面部２０が折り畳まれ、容器本体１の全体の高さを低くすることができる。即ち、収納空間部４０の容積を小さくすることができる。
従って、本実施形態の家庭用薄葉紙収納容器１００では、家庭用薄葉紙Ｐの残量が少なくなった場合でも、取出口１２と、収納空間部４０内の一番上の家庭用薄葉紙Ｐとを近接させることができるため、家庭用薄葉紙Ｐが取出口１２から内部に落ち込むことがなく、取出しの不具合が発生することがない。
なお、全ての家庭用薄葉紙Ｐを使い終わった後には、使用者は、容器本体１の高さを元に戻した状態で、新たな薄葉紙積層体２００を底面開口部３１から収納空間部４０に詰める。
【００２２】
以上のように、本実施形態の家庭用薄葉紙収納容器１００によれば、容器本体１の底部３０には、収納空間部４０に薄葉紙積層体２００を入れるための底面開口部３１が形成されるとともに、底部３０の縁部から突出し、収納空間部４０に収納された薄葉紙積層体２００を下側から支持する板バネ３２ａ〜３２ｄが備えられている。
このため、収納空間部４０に薄葉紙積層体２００を詰めるために容器本体１の一部を開閉する必要がなく、薄葉紙積層体２００を詰める作業を簡易にすることができる。
また、容器本体１の周面部２０には、当該容器本体１の高さ（収納空間部４０の容積）を可変とする折り畳み機構（傾斜部２３、薄肉部２４、２５）が備えられている。
このため、家庭用薄葉紙Ｐの残量に応じて収納空間部４０の容積を変えることができるので、家庭用薄葉紙Ｐの残量に因らず取出口１２と家庭用薄葉紙Ｐとを近い位置に維持することができ、取り出しの不具合が生じるのを防止することができる。
【００２３】
また、本実施形態の家庭用薄葉紙収納容器１００によれば、容器本体１の周面部２０は、可撓性を有する材料により形成され、折り畳み機構は、容器本体１の周面部２０の全周に亘って連続的に形成され、上方に向かって内側に傾斜する傾斜部２３と、傾斜部２３の上縁及び下縁に形成された薄肉部２４、２５と、を備え、上面部１０側からの押圧により傾斜部２３が収納空間部４０に倒れこんで容器本体１の高さが変わる。
このため、使用者は、容器本体１の高さ（収納空間部４０の容積）を変えるのに家庭用薄葉紙収納容器１００を上方から下方へ押すだけ良く、簡単な動作で高さの調節を行うことができる。
【００２４】
なお、上記実施形態における家庭用薄葉紙収納容器１００の細部構成については、本発明お趣旨を逸脱しない範囲で適宜変更可能である。
例えば、上記実施形態においては、傾斜部２３は１つで２段階に高さを変えることの可能な構成を例示して説明したが、２つ以上の傾斜部２３を設けることも可能である。これにより、何段階にも高さを変えることが可能となる。
【００２５】
また、板バネ３２ａ〜３２ｄは、薄葉紙積層体２００を支持できるものであれば良く、その数や形状に特に限定はない。
例えば、上記実施形態においては、板バネ３２ａ〜３２ｄが４つ設けられた構成を例示して説明したが、対向する２つの板バネ３２ａ、３２ｃ（又は３２ｂ、３２ｄ）のみを設けることとしても良いし、４つの板バネ３２ａ〜３２ｄの間に位置するように、さらに４つの板バネ（図示省略）を設けることとしても良い。
また、上記実施形態においては、板バネ３２ａ〜３２ｄが略正方形である構成を例示して説明したが、これ以外にも、板バネを、例えば、長方形、台形、四角形以外の多角形、或いは半円形などの形状とすることも可能である。
【符号の説明】
【００２６】
１  容器本体
１０  上面部
１１  平面部
１２  取出口
２０  周面部
２１  小径部
２２  大径部
２３  傾斜部（折り畳み機構）
２４、２５  薄肉部（折り畳み機構）
３０  底部
３１  底面開口部（開口部）
３２  環状部材
３２ａ〜３２ｄ  板バネ（支持部材）
３２ｅ  起立壁
４０  収納空間部
１００  家庭用薄葉紙収納容器
２００  薄葉紙積層体
Ｐ  家庭用薄葉紙
【図１】
0005773517.tif 000002
【図２】
0005773517.tif 000003
【図３】
0005773517.tif 000004
【図４】
0005773517.tif 000005